(57)【特許請求の範囲】
【請求項１】
端末と、前記端末と通信可能なサーバと、を有する消費電力管理システムであって、
前記端末は、
拠点で消費される電力を予約する時間帯を示す使用時間帯と、前記使用時間帯に消費される電力を示す予約電力量と、を含む予約情報を取得する入力部と、
前記拠点で消費された消費電力量を示す消費電力量情報を取得する消費電力量取得部と、
前記サーバへ前記予約情報と前記消費電力量情報とを送信する第１送信部と、
前記予約情報が示す電力の予約が可能または不可能であることを示す情報及び前記使用時間帯における前記予約電力量を超過した前記消費電力量に対する料金を示す情報を表示する表示部と、
を有し、
前記サーバは、
前記予約情報と、前記消費電力量情報と、を前記端末から受信する受信部と、
前記予約情報が示す電力の予約が可能か不可能かを判定し、前記使用時間帯における前記消費電力量が予約した前記予約電力量を超過した場合に、前記予約電力量を超過した消費電力量に対する料金を算出する管理部と、
前記管理部が判定した前記予約情報が示す電力の予約が可能または不可能であることを示す情報及び前記算出した料金を示す情報を前記端末へ送信する第２送信部と、
を有する、消費電力管理システム。
【請求項２】
拠点で消費される電力を予約する時間帯を示す使用時間帯と、前記使用時間帯に消費される電力を示す予約電力量と、を含む予約情報を取得し、
前記予約情報が示す電力の予約が可能か不可能かを判定し、
前記予約情報が示す電力の予約が可能または不可能であることを示す情報を表示し、
前記拠点で消費された消費電力量を示す消費電力量情報を取得し、
前記使用時間帯における前記消費電力量が予約した前記予約電力量を超過した場合に、前記予約電力量を超過した消費電力量に対する料金を算出し、
算出した前記料金を表示する、消費電力管理方法。
【請求項３】
予約が確定した予約情報を保持し、
取得した前記予約情報が示す前記予約電力量と前記予約が確定した予約情報が示す予約電力量との和が使用可能電力量の上限値を超える場合に、前記取得した予約情報が示す電力の予約は予約不可能であると判定し、
取得した前記予約情報が示す前記予約電力量と前記予約が確定した予約情報が示す予約電力量との和が前記使用可能電力量の上限値を超えない場合に、前記取得した予約情報が示す電力の予約が可能であると判定する、請求項２に記載の消費電力管理方法。
【請求項４】
前記使用時間帯毎に前記予約の可否を判定する、請求項２または３に記載の消費電力管理方法。
【請求項５】
前記予約情報は電気機器を示す情報を含み、
前記使用時間帯は前記電気機器を使用する時間帯を示し、
前記予約電力量は前記電気機器を前記使用時間帯に使用した場合の消費電力量を示す、請求項２から４のいずれか１項に記載の消費電力管理方法。
【請求項６】
前記取得した消費電力量情報が示す消費電力量が、予約した前記予約電力量を超過したことを示す情報または前記予約電力量を超過した消費電力量を示す情報を表示する、
請求項２から５のいずれか１項に記載の消費電力管理方法。
【請求項７】
端末と通信可能なサーバであって、
拠点で消費される電力を予約する時間帯を示す使用時間帯及び前記使用時間帯に消費される電力を示す予約電力量を含む予約情報と、前記拠点で消費された消費電力量を示す消費電力量情報と、を前記端末から受信する受信部と、
前記予約情報が示す電力の予約が可能か不可能かを判定し、前記使用時間帯における前記消費電力量が予約した前記予約電力量を超過した場合に、前記予約電力量を超過した消費電力量に対する料金を算出する管理部と、
前記管理部が判定した前記予約情報が示す電力の予約が可能または不可能であることを示す情報及び前記算出した料金を示す情報を前記端末へ送信する送信部と、
を有するサーバ。
【請求項８】
サーバと通信可能な端末であって、
拠点で消費される電力を予約する時間帯を示す使用時間帯と、前記使用時間帯に消費される電力を示す予約電力量と、を含む予約情報を取得する入力部と、
前記拠点で消費された消費電力量を示す消費電力量情報を取得する消費電力量取得部と、
前記サーバへ前記予約情報と前記消費電力量情報とを送信する送信部と、
前記予約情報が示す電力の予約が可能または不可能であることを示す情報及び前記使用時間帯における前記予約電力量を超過した前記消費電力量に対する料金を示す情報を表示する表示部と、
を有する端末。
【請求項９】
前記送信部は、前記使用時間帯における前記消費電力量のうち予約した前記予約電力量を超過した消費電力量を示す情報を前記サーバへ送信する請求項８に記載の端末。
【請求項１０】
コンピュータに、
拠点で消費される電力を予約する時間帯を示す使用時間帯と、前記使用時間帯に消費される電力を示す予約電力量と、を含む予約情報を取得し、
前記予約情報が示す電力の予約が可能か不可能かを判定し、
前記拠点で消費された消費電力量を示す消費電力量情報を取得し、
前記使用時間帯における消費電力量が該使用時間帯における前記予約電力量を超過する場合、前記予約電力量を超過した消費電力量に対する料金を算出すること、
を実行させるプログラム。
【発明の詳細な説明】
【技術分野】
【０００１】
本発明は、消費電力管理システム、サーバ、端末、消費電力管理方法およびプログラムに関する。
【背景技術】
【０００２】
最近では、災害などの影響で節電の必要性が大きくなっている。今後は、対象となる地域全体で消費可能な電力量に制限が設けられるようなことが考えられる。このようなことから、対象となる地域内の家庭や企業などの電力を消費する複数の拠点の消費電力を管理し、節電を促進する方法が求められている。節電を促進する方法として、以下のような、消費電力を可視化する技術がある。
【０００３】
特許文献１では、空気調和装置に関する消費電力などに関する運転データを監視し、ユーザに空気調和装置の運転状況を知らせる空調管理装置が提案されている。特許文献１の空調管理装置は、空気調和装置に関する消費電力などに関する運転データを監視し、ユーザに空気調和装置の運転状況を知らせることで、消費電力の低減につなげる。
【先行技術文献】
【特許文献】
【０００４】
【特許文献１】特開２００８−１５７５３３号公報
【発明の概要】
【発明が解決しようとする課題】
【０００５】
しかし、特許文献１のような消費電力を可視化する技術では、消費電力量はユーザの自主性に左右され、対象となる複数の拠点のユーザの電力消費行動を抑制し、各拠点の合計の消費電力量が所定の値を超えないようにすることはできない。
【０００６】
本発明は上述の事情に鑑みてなされたもので、対象となる複数の拠点のユーザの電力消費行動を抑制し、各拠点の合計の消費電力量が所定の値を超えないようにすることができる消費電力管理システム、サーバ、端末、消費電力管理方法およびプログラムを提供することを目的とする。
【課題を解決するための手段】
【０００７】
本発明の第１の観点に係る消費電力管理システムは、
端末と、前記端末と通信可能なサーバと、を有する消費電力管理システムであって、
前記端末は、
拠点で消費される電力を予約する時間帯を示す使用時間帯と、前記使用時間帯に消費される電力を示す予約電力量と、を含む予約情報を取得する入力部と、
前記拠点で消費された消費電力量を示す消費電力量情報を取得する消費電力量取得部と、
前記サーバへ前記予約情報と前記消費電力量情報とを送信する第１送信部と、
前記予約情報が示す電力の予約が可能または不可能であることを示す情報と、前記使用時間帯における前記予約電力量を超過した前記消費電力量に対する料金を示す情報を表示する表示部と、
を有し、
前記サーバは、
前記予約情報と、前記消費電力量情報と、を前記端末から受信する受信部と、
前記予約情報が示す電力の予約が可能か不可能かを判定し、前記使用時間帯における前記消費電力量が予約した前記予約電力量を超過した場合に、前記予約電力量を超過した消費電力量に対する料金を算出する管理部と、
前記管理部が判定した前記予約情報が示す電力の予約が可能または不可能であることを示す情報及び前記算出した料金を示す情報を前記端末へ送信する第２送信部と、
を有する。
【０００８】
本発明の第２の観点に係る消費電力管理方法は、
拠点で消費される電力を予約する時間帯を示す使用時間帯と、前記使用時間帯に消費される電力を示す予約電力量と、を含む予約情報を取得し、
前記予約情報が示す電力の予約が可能か不可能かを判定し、
前記予約情報が示す電力の予約が可能または不可能であることを示す情報を表示し、
前記拠点で消費された消費電力量を示す消費電力量情報を取得し、
前記使用時間帯における前記消費電力量が予約した前記予約電力量を超過した場合に、前記予約電力量を超過した消費電力量に対する料金を算出し、
算出した前記料金を表示する。
本発明の第３の観点に係るサーバは、
端末と通信可能なサーバであって、
拠点で消費される電力を予約する時間帯を示す使用時間帯及び前記使用時間帯に消費される電力を示す予約電力量を含む予約情報と、前記拠点で消費された消費電力量を示す消費電力量情報と、を前記端末から受信する受信部と、
前記予約情報が示す電力の予約が可能か不可能かを判定し、前記使用時間帯における前記消費電力量が予約した前記予約電力量を超過した場合に、前記予約電力量を超過した消費電力量に対する料金を算出する管理部と、
前記管理部が判定した前記予約情報が示す電力の予約が可能または不可能であることを示す情報及び前記算出した料金を示す情報を前記端末へ送信する送信部と、
を有する。
【０００９】
本発明の第４の観点に係る端末は、
サーバと通信可能な端末であって、
拠点で消費される電力を予約する時間帯を示す使用時間帯と、前記使用時間帯に消費される電力を示す予約電力量と、を含む予約情報を取得する入力部と、
前記拠点で消費された消費電力量を示す消費電力量情報を取得する消費電力量取得部と、
前記サーバへ前記予約情報と前記消費電力量情報とを送信する送信部と、
前記予約情報が示す電力の予約が可能または不可能であることを示す情報及び前記使用時間帯における前記予約電力量を超過した前記消費電力量に対する料金を示す情報を表示する表示部と、
を有する。
【００１１】
本発明の第５の観点に係るプログラムは、コンピュータに、
拠点で消費される電力を予約する時間帯を示す使用時間帯と、前記使用時間帯に消費される電力を示す予約電力量と、を含む予約情報を取得し、
前記予約情報が示す電力の予約が可能か不可能かを判定し、
前記拠点で消費された消費電力量を示す消費電力量情報を取得し、
前記使用時間帯における消費電力量が該使用時間帯における前記予約電力量を超過する場合、前記予約電力量を超過した消費電力量に対する料金を算出すること、
を実行させる。
【発明の効果】
【００１２】
本発明によれば、対象となる複数の拠点のユーザの電力消費行動を抑制し、各拠点の合計の消費電力量が所定の値を超えないようにすることができる。
【図面の簡単な説明】
【００１３】
【図１】本発明の実施の形態に係る消費電力管理システムの構成例を示すブロック図である。
【図２】実施の形態に係る端末およびサーバの機能構成例を示す図である。
【図３】実施の形態に係る予約画面の例を示す図である。
【図４】実施の形態に係る予約管理テーブルの例を示す図である。
【図５】実施の形態に係る端末の動作の一例を示すフローチャートである。
【図６】実施の形態に係るサーバの動作の一例を示すフローチャートである。
【図７】実施の形態に係る端末およびサーバのハードウェア構成例を示すブロック図である。
【発明を実施するための形態】
【００１４】
本実施の形態において、複数の拠点では、全体として、各時間帯に消費可能な電力量の上限が設定されており、それ以上は使用できないこととする。本実施の形態では、複数の拠点は、消費電力を制限する対象となる地域内の家庭、あるいは、消費電力管理システムに加入している家庭である。
【００１５】
以下、本発明を実施するための形態について図面を参照して詳細に説明する。なお図中、同一または相当部分には同じ符号を付す。
【００１６】
図１は、本発明の実施の形態に係る消費電力管理システムの構成例を示すブロック図である。消費電力管理システム１００は、ネットワークに接続されたサーバ２と複数の端末１とから構成される。端末１は、それぞれの家庭内に設置されている。ユーザは、端末１を用いてサーバ２にアクセスすることにより、電力の予約を行う。
【００１７】
図２は、実施の形態に係る端末およびサーバの機能構成例を示す図である。端末１は、受信部１１、表示部１２、入力部１３、記憶部１４、消費電力量取得部１５および送信部１６を備える。
【００１８】
受信部１１は、ユーザが電力の予約を行うための予約画面を示す予約画面情報をサーバ２から受信する。また、受信部１１は、ユーザが入力した電力の予約が不可能であることを示す予約不可情報をサーバ２から受信する。さらに、受信部１１は、予約情報が示す予約がされた場合に課金される予約料金を示す予約料金情報と、予約情報が示す予約を実行した場合に消費する電力に対して課金される使用料金を示す使用料金情報とをサーバ２から受信する。受信部１１は、受信した予約画面情報、予約不可情報、予約料金情報および使用料金情報を表示部１２に送る。また、受信部１１は、受信した予約不可情報を記憶部１４に送る。
【００１９】
表示部１２は、予約画面情報に基づいて予約画面を表示する。また、表示部１２は、予約不可情報に基づいて、ユーザが入力した電力の予約が不可能であることを予約画面上に表示する。さらに、表示部１２は、予約料金情報および使用料金情報に基づいて、ユーザが入力した電力の予約の予約料金および使用料金を予約画面上に表示する。
【００２０】
入力部１３は、ユーザからの電力の予約を受け付ける。ユーザは、入力部１３を介して表示部１２に表示された予約画面に電力の予約を入力する。入力部１３は、入力された予約を示す情報に端末１を識別するユーザＩＤを対応付けて予約情報を生成し、送信部１６に送る。また、入力部１３は、生成した予約情報を記憶部１４に送る。
【００２１】
記憶部１４は、入力部１３から受け取った予約情報を記憶する。また、記憶部１４は、受信部１１から予約不可情報を受け取ると、対応する予約情報を削除する。したがって、記憶部１４は、予約可能であった予約情報のみを記憶する。
【００２２】
消費電力量取得部１５は、記憶部１４に記憶された予約情報の予約した時間帯の間、端末１が設置された家庭内の消費電力量を示す消費電力量情報を取得する。たとえば、電源（コンセント）や電気機器ごとに電力量計を設け、消費電力量取得部１５は、定期的に各電力量計から消費電力量を取得し、取得した日時とユーザＩＤとを対応付けて消費電力量情報を生成する。消費電力量取得部１５は、取得した消費電力量情報を送信部１６に送る。
【００２３】
送信部１６は、予約情報をサーバ２に送信する。また、送信部１６は、消費電力量情報をサーバ２に送信する。
【００２４】
サーバ２は、送信部２１、受信部２２、管理部２３および記憶部２４を備える。
【００２５】
送信部２１は、記憶部２４が記憶する予約画面情報を端末１に送信する。送信部２１は、予約不可情報を端末１に送信する。また、送信部２１は、予約料金情報および使用料金情報を端末１に送信する。
【００２６】
受信部２２は、予約情報を端末１から受信する。また、受信部２２は、消費電力量情報を端末１から受信する。受信部２２は、受信した予約情報および消費電力量情報を管理部２３に送る。
【００２７】
管理部２３は、記憶部２４が記憶する予約済みの予約情報が登録されている予約管理テーブルを参照し、受信部２２から受け取った予約情報が示す予約が可能か否かを判定する。予約が可能であると判定した場合、管理部２３は、予約管理テーブルに予約情報を登録する。予約可能か否かの判定方法および予約情報の登録方法の詳細は後述する。
【００２８】
また、管理部２３は、予約が可能であると判定した場合、予約情報が示す予約の予約料金および使用料金を算出する。予約料金および使用料金の算出方法の詳細は後述する。管理部２３は、算出した予約料金を示す予約料金情報と、使用料金を示す使用料金情報とを送信部２１に送信させる。一方、予約が不可能であると判定した場合、管理部２３は、送信部２１に予約不可情報を送信させる。
【００２９】
管理部２３は、受信部２２から消費電力量情報を受け取るごとに、消費電力量情報が示す消費電力量を加算して累積消費電力量を算出し、記憶部２４が記憶する予約管理テーブルに記憶させる。予約した時間帯が終了すると、管理部２３は、予約管理テーブルに基づいて、累積消費電力量が予約分を超過したか否かを判定する。予約分を超過したと判定した場合、管理部２３は、予約分を超えた超過電力量を算出し、記憶部２４が記憶する予約管理テーブルに記憶させる。一方、予約分を超えていないと判定した場合、管理部２３は、予約管理テーブルに基づいて、累積消費電力量が予約分に不足するか否かを判定する。予約分に不足すると判定した場合、管理部２３は、予約分に不足する未使用電力量を算出し、記憶部２４が記憶する予約管理テーブルに記憶させる。
【００３０】
管理部２３は、予約分を超過したと判定した場合、算出した超過電力量、または、消費電力量が予約分を超過したことを示す超過情報を端末１に送信してもよい。この場合、端末１の表示部１２は、受信部１１が受信した超過情報に基づいて、超過電力量、または、消費電力量が予約分を超過したことを示す画面を表示する。これにより、ユーザは、消費電力量が予約分を超えたことを知ることができ、消費電力量の低減が期待できる。
【００３１】
また、端末１は、電源（コンセント）または電気機器の電力の供給を制御する電源制御部を備えてもよい。電源制御部は、受信部１１が超過情報を受信すると、超過情報に対応する電源（コンセント）または電気機器の電力の供給を遮断する。これにより、消費電力量が予約分を超過すると消費電力量の増加を強制的に停止することができる。すなわち、予約どおりに電力を消費させることができる。
【００３２】
管理部２３は、予約した時間帯が終了すると、記憶部２４が記憶する予約管理テーブルに基づいて端末１のユーザに対して課金する。このとき、予約分の消費電力量については、予約料金および使用料金を課金する。超過電力量については、使用料金に加え、予約料金よりも多い金額（たとえば、予約料金の２倍）を課金する。すなわち、消費電力量が予約分を超えるとペナルティが科される。これにより、ユーザが予約どおりに電力消費活動を行うことが期待できる。未使用電力量については、予約料金のみを課金する。また、電力の予約をしなかったユーザは、使用料金のみで電力を使用することができるが、該時間帯に消費可能な電力量の上限を超えた場合は、電力を使用できない。あるいは、該時間帯に消費可能な電力量の上限を超えた場合は、予約した場合の予約料金＋使用料金よりも高い使用料金が課金されることとする。これにより、ユーザは必要な電力量のみを予約し、それ以外の電力消費は極力抑えることが期待できる。よって、各拠点のユーザの電力消費行動がより抑制される。
【００３３】
課金方法は、予約管理テーブルに基づいて料金を算出し、料金を示すメールを端末１に送信するなど、料金をユーザに報知することで支払いを促す方法を用いてもよいし、算出した料金を記憶部２４に記憶し、クレジットカードや金融機関などの自動引き落としなどのシステムを用いてもよい。また、課金するのは予約料金やペナルティの料金など、使用料金を超える料金のみとし、使用料金は電力会社が徴収することとしてもよい。
【００３４】
記憶部２４は、予約管理テーブルを記憶する。また、記憶部２４は、予約画面情報など、端末１の処理に必要なその他の情報を記憶する。
【００３５】
図３は、実施の形態に係る予約画面の例を示す図である。図３の例は、ユーザＩＤが「００１」の端末１の表示部１２に表示された、２０１１／０８／０１の電力を予約する予約画面である。ユーザは、予約画面において電気機器ごとに時間単位で電力の予約を行う。図３の例では、ユーザは、「リビングエアコン」を設定温度「２６℃」で１２：００〜１７：００まで使用する予約を入力している。このとき、この予約を行う場合の予約料金５円と使用料金１００円が表示される。また、ユーザは、「寝室エアコン」を設定温度「２８℃」で００：００〜０８：００まで使用する予約を入力している。このとき、この予約を行う場合の予約料金４円と使用料金１２０円が表示される。さらに、ユーザは、「洗濯機」を「洗乾コース」で１３：００〜１４：００まで使用する予約を入力している。このとき、この予約を行う場合の予約料金１円と使用料金５０円が表示される。ここでは、消費電力が異なる設定がある電気機器については、各種設定を入力可能にしているが、電気機器ごとに使用する時間帯を入力するのみでもよい。
【００３６】
そして、ユーザが「リビング照明」を１８：００〜２３：００まで使用する予約をしようとすると、入力した時間帯に消費可能な電力量の上限を超えてしまうので、「消費可能電力量をオーバーするため予約できません」というメッセージが表示される。
【００３７】
電力の予約は、図３のような電気機器ごとの時間単位の予約に限らず、電源ごとに時間単位で予約してもよいし、家庭内で区切られたエリアごとに時間単位で予約してもよい。あるいは、家庭ごとに時間単位で予約してもよい。
【００３８】
図４は、実施の形態に係る予約管理テーブルの例を示す図である。図４の例では、予約管理テーブルは、端末１を識別する「ユーザＩＤ」と、予約する電力を使用する日である「使用日」と、使用を予約する時間帯である「使用時間帯」と、予約された電力量である「予約電力量」（括弧内は１時間当たりの予約電力量）と、使用時間帯の開始から現在までに累積された消費電力量である「累積消費電力量」と、予約電力量を超過した電力量である「超過電力量」と、予約電力量に不足する電力量である「未使用電力量」から構成される。「ユーザＩＤ」、「使用日」、「使用時間帯」および「予約電力量」の組を、以下、エントリという。管理部２３は、受信部２２から予約情報を受け取るたびに、予約可能であるか否かを判定し、予約可能である場合には、予約情報に対応するエントリを予約管理テーブルに登録する。
【００３９】
図３および図４を用いて管理部２３が予約情報を予約管理テーブルに登録する処理を説明する。図３のように、「ユーザＩＤ」が０００１の端末１において、予約情報１｛使用日「２０１１／０８／０１」、電気機器「リビングエアコン（温度・２６℃）」、使用時間帯「１２：００〜１７：００」｝と、予約情報２｛電気機器「寝室エアコン（温度：２８℃）」、使用時間帯「００：００〜０８：００」｝と、予約情報３｛電気機器「洗濯機（洗乾コース）」、使用時間帯「１３：００〜１４：００」｝と、予約情報４｛電気機器「リビング照明」、使用時間帯「１８：００〜２３：００」｝とが入力されたとする。端末１の送信部１６は、入力されるごとに予約情報をサーバ２に送信する。また、端末１の記憶部１４は、予約情報１〜４を記憶する。
【００４０】
サーバ２の受信部２２は、これらの予約情報を順次受信し、管理部２３に送る。管理部２３は、予約情報を受け取るごとに、予約情報に含まれる使用時間帯に該電気機器を使用した場合に想定される消費電力量を予約電力量として算出する。具体的には、記憶部２４が各電気機器を使用した場合に想定される１時間当たりの消費電力量を示す電気機器情報を記憶しており、管理部２３は、電気機器情報を参照し、予約情報の予約電力量を算出する。たとえば、予約情報１の電気機器「リビングエアコン」を設定温度２６℃で１２：００〜１７：００に稼動させる場合に想定される１時間当たりの消費電力量は、２５０Ｗｈであるので、予約電力量は、２５０（Ｗｈ）×５（時間）＝１２５０（Ｗｈ）である。
【００４１】
なお、ユーザが電源ごとに時間単位で電力を予約する場合、予約電力量は、ユーザが予約した電力量である。家庭内で区切られたエリアごとに時間単位で電力を予約する場合や家庭ごとに時間単位で電力を予約する場合も同様である。
【００４２】
ここで、予約情報が予約可能か否かの判定方法について説明する。管理部２３は、受信部２２から予約情報を受け取ると、記憶部２４が記憶する予約管理テーブルを参照し、予約情報と「ユーザＩＤ」および「使用日」が一致するエントリを抽出する。「ユーザＩＤ」および「使用日」が一致するエントリのうち、「使用時間帯」が一部または完全一致するエントリにさらに絞り込む。そして、管理部２３は、絞り込んだエントリの１時間当たりの予約電力量の値の合計に、管理部２３が算出した予約情報の１時間当たりの予約電力量を加算した値が、一部または完全一致する時間帯の消費可能電力量の上限値を超えるか否かを判定する。消費可能電力量の上限値を超える場合、管理部２３は、予約情報に対して、予約不可能と判定する。消費可能電力量の上限値を超えない場合、管理部２３は、予約情報に対して、予約可能と判定する。
【００４３】
消費可能電力量の上限値は記憶部２４が日付および／または時間帯（たとえば１時間ごと）に対応付けて記憶している。消費可能電力量の上限値は、記憶部２４にあらかじめ記憶しておいてもよいし、外部から取得してもよい。消費可能電力量の上限値はたとえば、対象となる地域の自治体からの要請や電力会社からの要請などである。あるいは、消費可能電力量の上限値はユーザ同士で決定してもよい。また、消費可能電力量の上限値は、実際には、消費可能電力量の最大値ではない。すなわち、ユーザが予約分を超えて電力を消費する場合や、非常事態など急に電力が必要なる場合に備えて電力量を残しておく。
【００４４】
図３の例では、予約情報１〜３は予約可能である。たとえば、管理部２３は、予約情報１を予約可能と判定すると、図４に示すように、「ユーザＩＤ」が０００１、「使用日」が２０１１／０８／０１、「使用時間帯」が１２：００〜１７：００、「予約電力量（１時間当たり）」が１２５０Ｗｈ（２５０Ｗｈ）のエントリを予約管理テーブルに登録する。予約情報２および３についても、同様に、エントリを予約管理テーブルに登録する。
【００４５】
また、管理部２３は、予約情報１〜３が予約可能と判定すると、それぞれの予約料金および使用料金を算出する。具体的には、記憶部２４が日付と時間帯に予約料金および使用料金を対応付けた予約・使用料金表を記憶しており、管理部２３は、予約・使用料金表を参照し、予約情報１〜３の予約料金および使用料金を算出する。管理部２３は、算出した予約情報１〜３の予約料金を示す予約料金情報と使用料金を示す使用料金情報とを送信部２１に送信させる。端末１の受信部１１は、予約料金情報および使用料金情報を受信すると、表示部１２に送る。表示部１２は、予約料金情報および使用料金情報に基づいて、図３に示すように、予約画面の予約情報１〜３の予約料金および使用料金の欄に、それぞれ予約料金および使用料金の金額を表示する。
【００４６】
また、管理部２３は、予約情報１〜３が予約情報を予約可能と判定すると、予約情報１〜３の予約が可能であることを示す予約可能情報を生成し、送信部２１に送信させてもよい。端末１の受信部１１は、予約可能情報を受信すると、表示部１２に送る。この場合、表示部１２は、予約可能情報に基づいて、予約画面の予約情報１〜３の入力箇所に、予約が可能であることを示すメッセージ、記号、記号、色の変化や文字の変化などを表示する。管理部２３は、予約可能情報と予約料金情報および使用料金情報とを合わせて送信部２１に送信させてもよい。この場合、表示部１２は、予約が可能であることを示すメッセージと予約料金および使用料金とを両方表示する。
【００４７】
本実施の形態では、管理部２３は、予約可能と判定すると、予約情報を予約管理テーブルに登録する。しかし、これに限らず、管理部２３は、予約可能と判定すると、それぞれの予約料金および使用料金を算出し、まず予約料金情報および使用料金情報を送信部２１に送信させてもよい。端末１の受信部１１は、予約料金情報および使用料金情報を受信すると、表示部１２に送る。表示部１２は、予約料金情報および使用料金情報に基づいて、図３に示すように、予約画面の該当する予約情報の予約料金および使用料金の欄に、それぞれ予約料金および使用料金の金額を表示する。
【００４８】
ユーザは、表示された予約料金および使用料金を見て、実際に予約する場合、入力部１３に予約を決定したことを示す予約決定情報を入力する。入力部１３は、入力された予約決定情報を送信部１６に送る。送信部１６は、サーバ２に予約決定情報を送信する。サーバ２の受信部２２は、受信した予約決定情報を管理部２３に送る。管理部２３は、予約決定情報を受け取ると、予約決定情報に対応する予約情報を予約管理テーブルに登録する。
【００４９】
これにより、ユーザの行動を変容させる効果が期待できる。たとえば、昼間の電力消費のピーク時は予約料金および／または使用料金が高く、電力消費のピークを過ぎた夕方の予約料金および／または使用料金が安い場合、ユーザが昼間の電力消費のピーク時に予約を入れようとして、表示された予約料金および使用料金を見て高ければ、夕方の予約に変更しようとする可能性が高い。こうして、ピーク時の電力消費を分散させることが期待できる。
【００５０】
また、このように、ユーザが入力した予約情報の「使用時間帯」の予約料金および／または使用料金が高いときに、予約料金および／または使用料金が安い時間帯をユーザに提示してもよい。この場合、管理部２３は、予約情報が予約可能と判定して算出した予約料金および／または使用料金が所定の値（たとえば予約料金および／または使用料金の平均の値よりも高いか否かを判定し、高い場合には、算出した予約料金および／または使用料金よりも安い予約料金および／または使用料金の時間帯を特定する。管理部２３は、特定した時間帯を示す推奨時間帯情報を生成し、送信部２１に送信させる。
【００５１】
端末１の受信部１１は、推奨時間帯情報を受信すると、表示部１２に送る。表示部１２は、推奨時間帯情報に基づいて、予約画面の該当する予約情報の使用時間帯の欄に、入力した使用時間帯よりも、予約料金および／または使用料金が安い時間帯を表示する。これにより、ユーザの行動を変容させる効果がさらに向上する。
【００５２】
図３の例では、予約情報４は予約不可能である。管理部２３は、予約情報４を予約不可能と判定すると、予約情報４の予約が不可能であることを示す予約不可情報を生成し、送信部２１に送信させる。端末１の受信部１１は、予約不可情報を受信すると、表示部１２および記憶部１４に送る。表示部１２は、予約不可情報に基づいて、図３に示すように、予約画面の予約情報４の入力箇所に、予約が不可能であることを示す「消費可能電力量をオーバーするため予約できません」というメッセージを表示する。予約不可情報に基づく表示は、メッセージに限らず、記号、色の変化や文字の変化などでもよい。また、端末１の記憶部１４は、受信部１１から予約不可情報を受信すると、予約情報４を削除する。
【００５３】
続いて、累積消費電力量、超過電力量および未使用電力量の算出方法について説明する。端末１の消費電力量取得部１５は、記憶部１４に記憶された予約情報１〜３の使用時時間帯に消費電力量情報を取得し、送信部１６は、消費電力量情報をサーバ２に送る。サーバ２の管理部２３は、受信部２２から消費電力量情報を受け取ると、記憶部２４が記憶する予約管理テーブルから、「ユーザＩＤ」が一致するエントリを抽出する。管理部２３は、「ユーザＩＤ」が一致するエントリのうち、「使用日」および「使用時間帯」が消費電力量情報に対応付けられた日時を含むエントリを特定する。管理部２３は、特定したエントリに対応付けられた「累積消費電力量」の値に消費電力量情報が示す消費電力量の値を加算する。このように、管理部２３は、エントリごとに使用時間帯に受け取った消費電力量を累積記憶させる。
【００５４】
管理部２３は、各エントリの「使用日」の「使用時間帯」が終了したときの「累積消費電力量」の値が、該エントリの「予約電力量」の値を超過した場合、消費電力量が予約分を超過したと判定する。管理部２３は、各エントリの「使用日」の「使用時間帯」が終了したときの「累積消費電力量」の値が、該エントリの「予約電力量」の値を超えない場合、消費電力量が予約分を超過していないと判定する。
【００５５】
管理部２３は、消費電力量が予約分を超過したと判定した場合、「累積消費電力量」の値から「予約電力量」の値を引いて、超過した消費電力量を算出し、図４の予約管理テーブルのエントリに対応付けて「超過電力量」として記憶させる。図４の例では、「ユーザＩＤ」が０００１で「使用日」が２０１１／０８／０１で「使用時間帯」が１２：００〜１７：００のエントリの「累積消費電力量」は３２５０Ｗｈであって、「予約電力量」は３２００Ｗｈである。よって、「超過電力量」は、５０Ｗｈである。
【００５６】
管理部２３は、消費電力量が予約分を超過していないと判定した場合、各エントリの「使用日」の「使用時間帯」が終了したときの「累積消費電力量」の値が、該エントリの「予約電力量」の値に不足するか否かを判定する。消費電力量が予約分を不足すると判定した場合、「予約電力量」の値から「累積消費電力量」の値を引いて、不足する消費電力量を算出し、図４の予約管理テーブルのエントリに対応付けて「未使用電力量」として記憶させる。図４の例では、「ユーザＩＤ」が０００１で「使用日」が２０１１／０８／０１で「使用時間帯」が１３：００〜１４：００のエントリの「累積消費電力量」は３００Ｗｈであって、「予約電力量」は４００Ｗｈである。よって、「未使用電力量」は、１００Ｗｈである。
【００５７】
なお、現在日時が２０１１／０８／０２の１３：００であるとすると、「ユーザＩＤ」が０００２で「使用日」が２０１１／０８／０２で「使用時間帯」が１２：００〜１７：００のエントリの「累積消費電力量」は、１２：００〜１３：００に消費した電力量２５０Ｗｈである。また、「累積消費電力量」が「予約電力量」に過不足ない場合、図４では、「超過電力量」および「未使用電力量」の欄には「―」を表示している。また、使用時間帯が開始していない場合にも「―」を表示している。
【００５８】
図５は、実施の形態に係る端末の動作の一例を示すフローチャートである。ユーザが端末１を用いてサーバ２にアクセスすると、端末１の受信部１１は、サーバ２から予約画面情報を受信する（ステップＳ１１）。表示部１２は、予約画面情報に基づいて予約画面を表示する（ステップＳ１２）。ユーザは、表示部１２に表示された予約画面を見て電力の予約を入力部１３に入力する。入力部１３は、ユーザが入力した電力の予約を示す予約情報を取得する（ステップＳ１３）。記憶部１４は、予約情報を記憶する（ステップＳ１４）。送信部１６は、予約情報をサーバ２に送信する（ステップＳ１５）。
【００５９】
受信部１１がサーバ２から予約不可情報を受信した場合（ステップＳ１６；ＹＥＳ）、表示部１２は、予約不可情報に基づいて、ユーザが入力した電力の予約が不可能であることを予約画面上に表示する（ステップＳ１７）。また、記憶部１４は、予約不可情報に対応する予約情報を削除し（ステップＳ１８）、処理はステップＳ２１に移行する。
【００６０】
一方、受信部１１がサーバ２から予約不可情報を受信しない場合（ステップＳ１６；ＮＯ）、受信部１１は、送信部１６が送信した予約情報が示す予約の予約料金および使用料金をそれぞれ示す予約料金情報および使用料金情報を受信する（ステップＳ１９）。表示部１２は、予約料金情報および使用料金情報に基づいて、ユーザが入力した電力の予約の予約料金および使用料金を予約画面上に表示する（ステップＳ２０）。
【００６１】
予約画面を終了していない場合（ステップＳ２１；ＮＯ）、ステップＳ１３に戻り、ステップＳ１３〜ステップＳ２１を繰り返す。予約画面を終了した場合（ステップＳ２１；ＹＥＳ）、消費電力量取得部１５は、記憶部１４が記憶する予約情報の使用時間帯が開始したか否かを判定する（ステップＳ２２）。使用時間帯が開始していない場合（ステップＳ２２；ＮＯ）、ステップＳ２２を繰り返す。使用時間帯が開始した場合（ステップＳ２２；ＹＥＳ）、消費電力量取得部１５は、家庭内の各電力量計から、消費電力量を示す消費電力量情報を取得する（ステップ２３）。送信部１６は、消費電力量情報をサーバ２に送信する（ステップＳ２４）。使用時間帯が終了していない場合（ステップＳ２５；ＮＯ）、ステップＳ２３に戻り、ステップＳ２３〜ステップＳ２５を繰り返す。使用時間帯が終了した場合（ステップＳ２５；ＹＥＳ）、処理を終了する。
【００６２】
図６は、実施の形態に係るサーバの動作の一例を示すフローチャートである。ユーザが端末１を用いてサーバ２にアクセスすると、サーバ２の送信部２１は、予約画面情報を端末１に送信する（ステップＳ３１）。受信部２２は、端末１から予約情報を受信する（ステップＳ３２）。管理部２３は、予約情報に基づいて、ユーザが入力した電力の予約が可能であるか否かを判定する（ステップＳ３３）。予約が不可能であると判定した場合（ステップＳ３３；ＮＯ）、送信部２１は、予約不可情報を端末１に送信し（ステップＳ３４）、処理はステップＳ３８に移行する。予約が可能であると判定した場合（ステップＳ３３；ＹＥＳ）、管理部２３は、記憶部２４が記憶する予約管理テーブルに予約情報を登録する（ステップＳ３５）。また、管理部２３は、予約情報が示す予約の予約料金および使用料金を算出する（ステップＳ３６）。送信部２１は、予約料金を示す予約料金情報と、使用料金を示す使用料金情報とを端末１に送信する（ステップＳ３７）。
【００６３】
予約画面を終了していない場合（ステップＳ３８；ＮＯ）、ステップＳ３２に戻り、ステップＳ３２〜ステップＳ３８を繰り返す。予約画面を終了した場合（ステップＳ３８；ＹＥＳ）、受信部２２は、端末１から消費電力量情報を受信する（ステップ３９）。記憶部２４は、受信部２２が受信した消費電力量情報が示す消費電力量の値を予約管理テーブルの「累積消費電力量」の値に加算する（ステップＳ４０）。
【００６４】
使用時間帯が終了していない場合（ステップＳ４１；ＮＯ）、ステップＳ３９に戻り、ステップＳ３９〜ステップＳ４１を繰り返す。使用時間帯が終了した場合（ステップＳ４１；ＹＥＳ）、管理部２３は、予約管理テーブルに基づいて、消費電力量が予約分を超過したか否かを判定する（ステップＳ４２）。予約分を超過したと判定した場合（ステップＳ４２；ＹＥＳ）、記憶部２４は、管理部２３が算出した超過電力量を予約管理テーブルに記憶し（ステップＳ４３）、処理はステップＳ４４に移行する。一方、予約分を超過していないと判定した場合（ステップＳ４２；ＮＯ）、管理部２３は、予約管理テーブルに基づいて、消費電力量が予約分に不足するか否かを判定する（ステップＳ４４）。予約分に不足すると判定した場合（ステップＳ４４；ＹＥＳ）、記憶部２４は、管理部２３が算出した未使用電力量を予約管理テーブルに記憶し（ステップＳ４５）、処理はステップＳ４６に移行する。予約分に不足しないと判定した場合（ステップＳ４４；ＮＯ）、管理部２３は、記憶部２４が記憶する予約管理テーブルに基づいてユーザに課金し（ステップＳ４６）、処理を終了する。
【００６５】
以上説明したように、実施の形態の消費電力管理システム１００によれば、ユーザは、電力を予約することにより、自分がどの程度の電力量を消費するのかをあらかじめ料金で知ることができるので、対象となる複数の家庭のユーザの電力消費行動を抑制し、各家庭の合計の消費電力量が所定の値を超えないようにすることができる。
【００６６】
なお、上述の実施の形態では、端末１の消費電力量取得部１５は、記憶部１４が記憶する予約情報の使用時間帯に各電力量計から消費電力量を取得し、送信部１６は消費電力量情報をサーバ２に送る。しかしこれに限らず、端末１の消費電力量取得部１５は、予約の有無にかかわらず、定期的に各電力量計から消費電力量を取得し、消費電力量情報を送信部１６に送ってもよい。この場合、予約の有無や、使用時間帯の開始と終了は、サーバ２の管理部２３が判断する。
【００６７】
さらに、端末１は、端末１が設置された拠点の電力の供給を制御する電源制御部を備え、サーバ２の管理部２３は、受信部２２が現在の時間帯に各端末１から定期的に受信した消費電力量情報が示す消費電力量の合計が現在の時間帯の消費可能電力量の上限値を超過したか否かを判定してもよい。サーバ２の管理部２３は、超過した場合には、電力の予約をしていない端末１に、使用停止を指示する使用停止情報を送信部２１に送信させる。端末１の電源制御部は、受信部１１が使用停止情報を受信すると、電力の供給を強制的に遮断する。このような構成にすることにより、対象となる家庭全体として、各時間帯に消費可能な電力量の上限が設定されており、それ以上は使用できないという前提を実現してもよい。
【００６８】
上述の実施の形態では、予約可能か否かの判定や予約料金や使用料金の計算、累積電力量、超過電力量や未使用電力量の計算などの処理をサーバ２で行っていたが、これを端末１で行ってもよい。すなわち、サーバ２は、予約管理テーブルを記憶しており、端末１は、サーバ２から予約管理テーブルを受信し、入力部１３が取得した予約情報が示す電力の予約が予約可能か否かを判断し、予約可能な予約情報をサーバ２に送信する。また、端末１は、消費電力量取得部１５が取得した消費電力量情報と、記憶部１４が記憶する予約情報に基づいて、累積電力量、超過電力量や未使用電力量など算出し、サーバ２に送信する。サーバ２は、受信した情報に基づいて予約管理テーブルを更新し、予約管理テーブルに基づいて、ユーザに課金する機能のみを有することとしてもよい。
【００６９】
図７は、実施の形態に係る端末およびサーバのハードウェア構成の一例を示す図である。端末１およびサーバ２は、図８に示すように、制御部４１、主記憶部４２、外部記憶部４３、操作部４４、表示部４５および送受信部４６を備える。主記憶部４２、外部記憶部４３、操作部４４、表示部４５および送受信部４６はいずれも内部バス４０を介して制御部４１に接続されている。
【００７０】
制御部４１はＣＰＵ（Central Processing Unit）等から構成され、外部記憶部４３に記憶されている制御プログラム４９に従って、各処理を実行する。制御部４１は、端末１の受信部１１、表示部１２、入力部１３、消費電力取得部１５および送信部１６、または、サーバ２の送信部２１、受信部２２および管理部２３の各処理を実行する。
【００７１】
主記憶部４２はＲＡＭ（Random-Access Memory）等から構成され、外部記憶部４３に記憶されている制御プログラム４９をロードし、制御部４１の作業領域として用いられる。
【００７２】
外部記憶部４３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、端末１およびサーバ２の処理を制御部４１に行わせるためのプログラムをあらかじめ記憶し、また、制御部４１の指示に従って、このプログラムが記憶するデータを制御部４１に供給し、制御部４１から供給されたデータを記憶する。端末１の記憶部１３またはサーバ２の記憶部２４は、外部記憶部４３に構成される。
【００７３】
操作部４４はキーボードおよびマウスなどのポインティングデバイス等と、キーボードおよびポインティングデバイス等を内部バス４０に接続するインタフェース装置から構成されている。ユーザが端末１およびサーバ２に情報を入力する場合は、操作部４４を介して、指示が制御部４１に供給される。操作部４４は端末１の入力部１３として機能する。
【００７４】
表示部４５は、ＣＲＴ（Cathode Ray Tube）またはＬＣＤ（Liquid Crystal Display）などから構成され、制御部４１から供給された情報を表示する。表示部４５は、端末１の表示部１２として機能する。
【００７５】
送受信部４６は、通信ネットワークに接続する網終端装置または無線通信装置、およびそれらと接続するシリアルインタフェースまたはＬＡＮ（Local Area Network）インタフェースから構成されている。送受信部４６は、端末１の受信部１１および送信部１６、または、サーバ２の受信部２２および送信部２１として機能する。
【００７６】
図２に示す端末１の受信部１１、表示部１２、入力部１３、消費電力取得部１５および送信部１６、サーバ２の送信部２１、受信部２２および管理部２３の処理は、制御プログラム４９が、制御部４１、主記憶部４２、外部記憶部４３、操作部４４、表示部４５および送受信部４６などを資源として用いて処理することによって実行する。
【００７７】
その他、前記のハードウェア構成やフローチャートは一例であり、任意に変更および修正が可能である。
【００７８】
制御部４１、主記憶部４２、外部記憶部４３、操作部４４、内部バス４０などから構成される消費電力管理処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する端末１およびサーバ２を構成してもよい。また、インターネット等の通信ネットワーク上のコンピュータが有する記憶装置に当該コンピュータプログラムを格納しておき、通常のコンピュータシステムがダウンロード等することで端末１およびサーバ２を構成してもよい。
【００７９】
また、消費電力管理装置の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００８０】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、通信ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００８１】
上記の実施形態の一部又は全部は、以下の付記のようにも記載され得るが、以下には限られない。
【００８２】
（付記１）
複数の拠点にそれぞれ設置される端末と、前記端末と接続するサーバとで構成される消費電力管理システムであって、
前記端末は、それぞれ、
ユーザが入力する電力の予約を示す予約情報を取得する予約取得手段と、
前記予約情報を前記サーバに送信する予約送信手段と、
前記サーバから前記予約情報が示す電力の予約が可能であることを示す予約可能情報、または、前記予約情報が示す電力の予約が不可能であることを示す予約不可情報を受信する予約可否受信手段と、
前記予約可能情報および前記予約不可情報を表示する表示手段と、
前記拠点における消費電力量を示す消費電力量情報を取得する消費電力取得手段と、
前記消費電力量情報を前記サーバに送信する消費電力送信手段と、
を備え、
前記サーバは、
前記端末から前記予約情報を受信する予約受信手段と、
予約可能な前記予約情報が登録される予約管理テーブルを記憶する予約管理テーブル記憶手段と、
前記予約管理テーブルに基づいて、前記予約情報が示す電力の予約が可能か否かを判定する予約可否判定手段と、
前記予約可否判定手段が、予約が可能と判定した場合、前記予約情報を前記予約管理テーブルに登録する登録手段と、
前記予約可否判定手段が、予約が可能と判定した場合、前記予約可能情報を前記端末に送信し、前記予約可否判定手段が、予約が不可能と判定した場合、前記予約不可情報を前記端末に送信する予約可否送信手段と、
前記端末から前記消費電力量情報を受信する消費電力受信手段と、
前記予約管理テーブルおよび前記消費電力量情報に基づいて、前記ユーザに課金する課金手段と、
を備えることを特徴とする消費電力管理システム。
【００８３】
（付記２）
前記予約情報は、予約する電力量である予約電力量と、前記予約電力量を使用する使用時間帯とを含み、
前記予約可否判定手段は、前記予約管理テーブルから、前記予約受信手段が受信した前記予約情報と前記使用時間帯が一致する前記予約情報を抽出し、抽出した前記予約情報に含まれる前記予約電力量と、前記予約受信手段が受信した前記予約情報に含まれる前記予約電力量とを加算して、閾値を超えるか否かを判定し、前記閾値を超える場合、前記予約受信手段が受信した前記予約情報は予約不可能と判定し、前記閾値を超えない場合、前記予約受信手段が受信した前記予約情報は予約可能と判定することを特徴とする付記１に記載の消費電力管理システム。
【００８４】
（付記３）
前記予約情報は、電気機器を示す情報と、前記電気機器を使用する使用時間帯とを含み、
前記登録手段は、前記電気機器を前記使用時間帯に使用した場合の消費電力量である予約電力量を算出し、前記予約情報に前記予約電力量を対応付けて前記予約管理テーブルに登録し、
前記予約可否判定手段は、前記予約管理テーブルから、前記予約受信手段が受信した前記予約情報と前記使用時間帯が一致する前記予約情報を抽出し、抽出した前記予約情報に対応付けられた前記予約電力量と、前記予約受信手段が受信した前記予約情報に対応付けられた前記予約電力量とを加算して、閾値を超えるか否かを判定し、前記閾値を超える場合、前記予約受信手段が受信した前記予約情報は予約不可能と判定し、前記閾値を超えない場合、前記予約受信手段が受信した前記予約情報は予約可能と判定することを特徴とする付記１に記載の消費電力管理システム。
【００８５】
（付記４）
前記サーバは、
前記消費電力量情報に基づいて、消費電力量が予約分を超過したか否かを判定する超過判定手段と、
前記超過判定手段が前記予約分を超過したと判定した場合、前記予約分を超過した消費電力量である超過消費電力量を算出する算出手段と、をさらに備え、
前記登録手段は、前記超過消費電力量を前記予約管理テーブルに登録し、
前記課金手段は、前記超過消費電力量に対して、予約した場合よりも多い料金を課金することを特徴とする付記１ないし３のいずれかに記載の消費電力管理システム。
【００８６】
（付記５）
前記サーバは、
前記消費電力量情報に基づいて、消費電力量が予約分を超過したか否かを判定する超過判定手段と、
前記超過判定手段が前記予約分を超過したと判定した場合、前記予約分を超過した消費電力量である超過消費電力量を算出する算出手段と、
前記予約分を超過したことを示す情報、または、前記超過消費電力量を示す情報を前記端末に送信する超過受信手段と、をさらに備え、
前記端末は、
前記サーバから前記予約分を超過したことを示す情報、または、前記超過消費電力量を示す情報を受信する超過受信手段をさらに備え、
前記表示手段は、前記予約分を超過したことを示す情報または前記超過消費電力量を示す情報を表示することを特徴とする付記１ないし３のいずれかに記載の消費電力管理システム。
【００８７】
（付記６）
前記サーバは、
前記消費電力量情報に基づいて、消費電力量が予約分を超過したか否かを判定する超過判定手段と、
前記超過判定手段が前記予約分を超過したと判定した場合、前記予約分を超過したことを示す情報を前記端末に送信する超過送信手段と、をさらに備え、
前記端末は、
前記サーバから前記予約分を超過したことを示す情報を受信する超過受信手段と、
前記拠点に配置された電源の電力の供給を遮断する遮断手段と、をさらに備え、
前記遮断手段は、前記超過受信手段が受信した前記予約分を超過したことを示す情報に対応する前記電源の電力の供給を遮断することを特徴とする付記１ないし３のいずれかに記載の消費電力管理システム。
【００８８】
（付記７）
複数の拠点にそれぞれ設置される端末と接続するサーバであって、
前記端末からユーザが入力する電力の予約を示す予約情報を受信する予約受信手段と、
予約可能な前記予約情報が登録される予約管理テーブルを記憶する予約管理テーブル記憶手段と、
前記予約管理テーブルに基づいて、前記予約情報が示す電力の予約が可能か否かを判定する予約可否判定手段と、
前記予約可否判定手段が、予約が可能と判定した場合、前記予約情報を前記予約管理テーブルに登録する登録手段と、
前記予約可否判定手段が、予約が可能と判定した場合、前記予約情報が示す電力の予約が可能であることを示す予約可能情報を前記端末に送信し、前記予約可否判定手段が、予約が不可能と判定した場合、前記予約情報が示す電力の予約が不可能であることを示す予約不可情報を前記端末に送信する予約可否送信手段と、
前記端末から前記拠点における消費電力量を示す消費電力量情報を受信する消費電力受信手段と、
前記予約管理テーブルおよび前記消費電力量情報に基づいて、前記ユーザに課金する課金手段と、
を備えることを特徴とするサーバ。
【００８９】
（付記８）
複数の拠点にそれぞれ設置され、サーバと接続する端末であって、
ユーザが入力する電力の予約を示す予約情報を取得する予約取得手段と、
前記サーバから、予約可能な前記予約情報が登録される予約管理テーブルを受信する予約管理テーブル受信手段と、
前記予約管理テーブルに基づいて、前記予約取得手段が取得した前記予約情報が示す電力の予約が可能か否かを判定する予約可否判定手段と、
前記予約可否判定手段が、予約が可能と判定した場合、前記予約取得手段が取得した前記予約情報を前記サーバに送信する予約情報送信手段と、
前記予約可否判定手段が、予約が可能と判定した場合、前記予約情報が示す電力の予約が可能であることを示す予約可能情報を表示し、前記予約可否判定手段が、予約が不可能と判定した場合、前記予約情報が示す電力の予約が不可能であることを示す予約不可情報を表示する予約可否表示手段と、
前記拠点における消費電力量を示す消費電力量情報を取得する消費電力取得手段と、
前記消費電力量情報を前記サーバに送信する消費電力送信手段と、
を備えることを特徴とする端末。
【００９０】
（付記９）
複数の拠点にそれぞれ設置され、サーバと接続する端末が実行する、
ユーザが入力する電力の予約を示す予約情報を取得する予約取得ステップと、
前記予約情報を前記サーバに送信する予約送信ステップと、
前記サーバが実行する、
前記端末から前記予約情報を受信する予約受信ステップと、
予約管理テーブル記憶手段が記憶する予約可能な前記予約情報が登録される予約管理テーブルに基づいて、前記予約情報が示す電力の予約が可能か否かを判定する予約可否判定ステップと、
前記予約可否判定ステップで、予約が可能と判定した場合、前記予約情報を前記予約管理テーブルに登録する登録ステップと、
前記予約可否判定ステップで、予約が可能と判定した場合、前記予約情報が示す電力の予約が可能であることを示す予約可能情報を前記端末に送信し、前記予約可否判定ステップで、予約が不可能と判定した場合、前記予約情報が示す電力の予約が不可能であることを示す予約不可情報を前記端末に送信する予約可否送信ステップと、
前記端末が実行する、
前記サーバから前記予約可能情報、または、前記予約不可情報を受信する予約可否受信ステップと、
前記予約可能情報および前記予約不可情報を表示する表示ステップと、
前記拠点における消費電力量を示す消費電力量情報を取得する消費電力取得ステップと、
前記消費電力量情報を前記サーバに送信する消費電力送信ステップと、
前記サーバが実行する、
前記端末から前記消費電力量情報を受信する消費電力受信ステップと、
前記予約管理テーブルおよび前記消費電力量情報に基づいて、前記ユーザに課金する課金ステップと、
を備えることを特徴とする消費電力管理方法。
【００９１】
（付記１０）
前記予約情報は、予約する電力量である予約電力量と、前記予約電力量を使用する使用時間帯とを含み、
前記予約可否判定ステップでは、前記予約管理テーブルから、前記予約受信ステップで受信した前記予約情報と前記使用時間帯が一致する前記予約情報を抽出し、抽出した前記予約情報に含まれる前記予約電力量と、前記予約受信ステップで受信した前記予約情報に含まれる前記予約電力量とを加算して、閾値を超えるか否かを判定し、前記閾値を超える場合、前記予約受信ステップで受信した前記予約情報は予約不可能と判定し、前記閾値を超えない場合、前記予約受信ステップで受信した前記予約情報は予約可能と判定することを特徴とする付記９に記載の消費電力管理方法。
【００９２】
（付記１１）
前記予約情報は、電気機器を示す情報と、前記電気機器を使用する使用時間帯とを含み、
前記登録ステップでは、前記電気機器を前記使用時間帯に使用した場合の消費電力量である予約電力量を算出し、前記予約情報に前記予約電力量を対応付けて前記予約管理テーブルに登録し、
前記予約可否判定ステップでは、前記予約管理テーブルから、前記予約受信ステップで受信した前記予約情報と前記使用時間帯が一致する前記予約情報を抽出し、抽出した前記予約情報に対応付けられた前記予約電力量と、前記予約受信ステップで受信した前記予約情報に対応付けられた前記予約電力量とを加算して、閾値を超えるか否かを判定し、前記閾値を超える場合、前記予約受信ステップで受信した前記予約情報は予約不可能と判定し、前記閾値を超えない場合、前記予約受信ステップで受信した前記予約情報は予約可能と判定することを特徴とする付記９に記載の消費電力管理方法。
【００９３】
（付記１２）
前記サーバが実行する、
前記消費電力量情報に基づいて、消費電力量が予約分を超過したか否かを判定する超過判定ステップと、
前記超過判定ステップで、前記予約分を超過したと判定した場合、前記予約分を超過した消費電力量である超過消費電力量を算出する算出ステップと、をさらに備え、
前記登録ステップでは、前記超過消費電力量を前記予約管理テーブルに登録し、
前記課金ステップでは、前記超過消費電力量に対して、予約した場合よりも多い料金を課金することを特徴とする付記９ないし１１のいずれかに記載の消費電力管理方法。
【００９４】
（付記１３）
前記サーバが実行する、
前記消費電力量情報に基づいて、消費電力量が予約分を超過したか否かを判定する超過判定ステップと、
前記超過判定ステップで、前記予約分を超過したと判定した場合、前記予約分を超過した消費電力量である超過消費電力量を算出する算出ステップと、
前記予約分を超過したことを示す情報、または、前記超過消費電力量を示す情報を前記端末に送信する超過受信ステップと、
前記端末が実行する、
前記サーバから前記予約分を超過したことを示す情報、または、前記超過消費電力量を示す情報を受信する超過受信ステップと、
をさらに備え、
前記表示ステップでは、前記予約分を超過したことを示す情報または前記超過消費電力量を示す情報を表示することを特徴とする付記９ないし１１のいずれかに記載の消費電力管理方法。
【００９５】
（付記１４）
前記サーバが実行する、
前記消費電力量情報に基づいて、消費電力量が予約分を超過したか否かを判定する超過判定ステップと、
前記超過判定ステップで前記予約分を超過したと判定した場合、前記予約分を超過したことを示す情報を前記端末に送信する超過送信ステップと、
前記端末が実行する、
前記サーバから前記予約分を超過したことを示す情報を受信する超過受信ステップと、
前記拠点に配置された電源の電力の供給を遮断する遮断ステップと、
をさらに備え、
前記遮断ステップでは、前記超過受信ステップで受信した前記予約分を超過したことを示す情報に対応する前記電源の電力の供給を遮断することを特徴とする付記９ないし１１のいずれかに記載の消費電力管理方法。
【００９６】
（付記１５）
コンピュータを、複数の拠点にそれぞれ設置される端末と接続するサーバとして機能させるプログラムであって、
前記端末からユーザが入力する電力の予約を示す予約情報を受信する予約受信手段、
予約可能な前記予約情報が登録される予約管理テーブルを記憶する予約管理テーブル記憶手段、
前記予約管理テーブルに基づいて、前記予約情報が示す電力の予約が可能か否かを判定する予約可否判定手段、
前記予約可否判定手段が、予約が可能と判定した場合、前記予約情報を前記予約管理テーブルに登録する登録手段、
前記予約可否判定手段が、予約が不可能と判定した場合、前記予約情報が示す電力の予約が不可能であることを示す予約不可情報を前記端末に送信する予約不可送信手段、
前記端末から前記拠点における消費電力量を示す消費電力量情報を受信する消費電力受信手段、および、
前記予約管理テーブルおよび前記消費電力量情報に基づいて、前記ユーザに課金する課金手段、
として機能させることを特徴とするプログラム。
【００９７】
（付記１６）
コンピュータを、複数の拠点にそれぞれ設置される端末と接続するサーバとして機能させるプログラムであって、
前記端末からユーザが入力する電力の予約を示す予約情報を受信する予約受信手段、
予約可能な前記予約情報が登録される予約管理テーブルを記憶する予約管理テーブル記憶手段、
前記予約管理テーブルに基づいて、前記予約情報が示す電力の予約が可能か否かを判定する予約可否判定手段、
前記予約可否判定手段が、予約が可能と判定した場合、前記予約情報を前記予約管理テーブルに登録する登録手段、
前記予約可否判定手段が、予約が可能と判定した場合、前記予約情報が示す電力の予約が可能であることを示す予約可能情報を前記端末に送信し、前記予約可否判定手段が、予約が不可能と判定した場合、前記予約情報が示す電力の予約が不可能であることを示す予約不可情報を前記端末に送信する予約可否送信手段、
前記端末から前記拠点における消費電力量を示す消費電力量情報を受信する消費電力受信手段、および、
前記予約管理テーブルおよび前記消費電力量情報に基づいて、前記ユーザに課金する課金手段、
として機能させることを特徴とするプログラム。
【符号の説明】
【００９８】
１  端末
２  サーバ
１１  受信部
１２  表示部
１３  入力部
１４  記憶部
１５  消費電力量取得部
１６  送信部
２１  送信部
２２  受信部
２３  管理部
２４  記憶部
４１  制御部
４２  主記憶部
４３  外部記憶部
４４  操作部
４３  表示部
４６  送受信部
４９  制御プログラム
１００  消費電力管理システム
【図１】
0005828239.tif 000002
【図２】
0005828239.tif 000003
【図３】
0005828239.tif 000004
【図４】
0005828239.tif 000005
【図５】
0005828239.tif 000006
【図６】
0005828239.tif 000007
【図７】
0005828239.tif 000008